(57)【要約】      （修正有）【課題】便座に着座した状態で排泄物の採取ができる排泄物採取具を提供する。【解決手段】受け部と前記受け部の中央に形成したカップ部とからなる採取部２と、採取部の左右に延設されたバンド部４ａ，４ｂとからなる排泄物採取具１Ａであって、採取部２は、水に溶ける単層紙または積層紙からなる採取部ベース材Ｌ１、水に溶けるフィルムを少なくとも一層含むフィルムと紙との積層体からなる水解調整材２４、を含んで構成され、バンド部４ａ，４ｂは、水に溶ける積層紙からなるバンド部ベース材Ｌ２を含んで構成される。【選択図】図１
2018189452.tif 000002
【特許請求の範囲】
【請求項１】
受け部と前記受け部の中央に設けられたカップ部とからなる採取部と、
前記採取部の少なくとも左右に延設されたバンド部と、
からなる排泄物採取具であって、
前記採取部は、
水に溶ける単層紙または積層紙からなる採取部ベース材、
および、
少なくとも前記カップ部を含む領域に、前記採取部ベース材に積層して形成した、
水に溶けるフィルム、または、
水に溶ける１枚以上のフィルムと水に溶ける１枚以上の紙との積層体、
からなる水解調整材、
を含んで構成され、
前記バンド部は、
少なくとも一層が前記採取部ベース材と連続する、水に溶ける単層紙または積層紙からなるバンド部ベース材、
を含んで構成される、
排泄物採取具。
【請求項２】
受け部と前記受け部の中央に設けられたカップ部とからなる採取部と、
前記採取部の少なくとも左右に延設されたバンド部と、
からなる排泄物採取具であって、
前記採取部およびバンド部は、
水に溶ける単層紙または積層紙からなる採取部ベース材、
および、
少なくとも前記カップ部を含む領域に、前記採取部ベース材に積層して形成した、
水に溶けるフィルム、または、
水に溶ける１枚以上のフィルムと水に溶ける１枚以上の紙との積層体、
からなる水解調整材を含んで構成される、
排泄物採取具。
【請求項３】
前記バンド部は、裏面に接着材層を有する請求項１または２に記載の排泄物採取具。
【請求項４】
前記水解調整材は、冷水可解性を持つことを特徴とする請求項１または２に記載の排泄物採取具。
【請求項５】
前記受け部の前記カップ部との境界近傍の少なくとも一ヵ所に尿排出孔が設けられている請求項１または２に記載の排泄物採取具。
【請求項６】
前記受け部の前記カップ部との境界近傍の少なくとも一領域が高透水性である請求項１または２に記載の排泄物採取具。
【発明の詳細な説明】
【技術分野】
【０００１】
本発明は、便座に着座した状態で排泄物の採取ができる排泄物採取具に関し、具体的には女性の採尿に適した採尿具としても使用できる排泄物採取具に関するものである。
【背景技術】
【０００２】
いわゆる洋式便器用の採便シートが公知である（特許文献１参照）。
図９（Ａ）−（Ｃ）に示すように、採便シート９は、大便を採取するために用いられる。
採便シート９は、水溶性のカップ体９１と、その左右に延設されたバンド片９２ａ，９２ｂから構成される。
採便シート９の使用に際し、使用者はバンド片９２ａ，９２ｂ洋式便器（着座式便器８１）の便座８２の表面の左右に貼り付け、カップ体９１を懸架した状態で採便を行うことができる。
【特許文献１】特開２０１５−１３５２９６
【発明の開示】
【発明が解決しようとする課題】
【０００３】
しかし、特許文献１の採便シート９を採尿具として使用する場合には、尿がカップ体から透過しまうため採尿はできない。
そこで、たとえばカップ体９１部分を尿が透過性しないように加工しておくことも可能である。しかし、そうすると尿の重さによりカップ体９１またはバンド片９２ａ，９２ｂが破断してしまう危険がある。
このようなことから、医療現場では、採便シート９のような採尿具は使用されず、使い捨ての採尿カップが使用されるのが現実である。
ところで、女性は男性とは異なり立ったままでの採尿は実際上難しいため、洋式便器に中腰で着座して採尿することも多い。
しかし、この場合には、尿により手が濡れてしまうことも多く、衛生上の問題がある。
【０００４】
本発明は、便座に着座した状態で排泄物の採取ができる排泄物採取具を提供することを目的とする。
本発明は、特に、女性が便座に着座した状態で採尿できる採尿具としての排泄物採取具を提供することを目的とする。
【課題を解決するための手段】
【０００５】
本発明は、以下を要旨とする。
（１）
受け部と前記受け部の中央に設けられたカップ部とからなる採取部と、
前記採取部の少なくとも左右に延設されたバンド部と、
からなる排泄物採取具であって、
前記採取部は、
水に溶ける単層紙または積層紙からなる採取部ベース材、
および、
少なくとも前記カップ部を含む領域に、前記採取部ベース材に積層して形成した、
水に溶けるフィルム、または、
水に溶ける１枚以上のフィルムと水に溶ける１枚以上の紙との積層体、
からなる水解調整材、
を含んで構成され、
前記バンド部は、
少なくとも一層が前記採取部ベース材と連続する、水に溶ける単層紙または積層紙からなるバンド部ベース材、
を含んで構成される、
排泄物採取具。
【０００６】
本発明の排泄物採取具は、女性用の採尿具として好適である。
採取部は、多角錐または多角錐台となるように構成できる。また、円錐または円錐台となるように構成できる。
バンド部は、たとえば、左右に１本ずつ延設されていてもよいし、左右に２本ずつ延設されていてもよい。また、左右および後方に延設するようにしてもよい。
カップ部は、底面径が開口径よりも小さい逆円錐台形の容器上に形成できる。
カップ部の容積はたとえば３ｍＬ〜５ｍＬの容量とすることができるが、もちろん５ｍＬより大きな容積とすることができるし、３ｍＬより小さな容積とすることができる。
水に溶けるフィルムの物性や素材厚調整することでカップ部の容積を大きくすることができる。
水に溶けるフィルムの素材として、ＰＶＡ系樹脂を採用することができる。また、ポリエチレンテレフタレートやポリオレフィン等の疎水性の材料を使用することができる。
【０００７】
（２）
受け部と前記受け部の中央に設けられたカップ部とからなる採取部と、
前記採取部の少なくとも左右に延設されたバンド部と、
からなる排泄物採取具であって、
前記採取部およびバンド部は、
水に溶ける単層紙または積層紙からなる採取部ベース材、
および、
少なくとも前記カップ部を含む領域に、前記採取部ベース材に積層して形成した、
水に溶けるフィルム、または、
水に溶ける１枚以上のフィルムと水に溶ける１枚以上の紙との積層体、
からなる水解調整材を含んで構成される、
排泄物採取具。
排泄物採取具全体を水に溶ける１枚以上のフィルムを含む積層体で構成することで、製造が容易となる。
【０００８】
（３）
前記バンド部は、裏面に接着材層を有する（１）または（２）に記載の排泄物採取具。
接着材層に代えて、粘着材層（自己粘着性を有する層）を採用することもできる。
【０００９】
（４）
前記水解調整材は、冷水可解性を持つことを特徴とする（１）または（２）に記載の排泄物採取具。
水に溶けるフィルムの素材として、ＰＶＡ系樹脂を採用することができ、この樹脂のなかから冷水（たとえば５℃）可解性に優れたものを採用することができる。
カップ部は、たとえば尿を満杯に収容した場合において、１８０秒間は、収容量の９８％以上を保持できるように構成することが好ましい。
【００１０】
（５）
前記受け部の前記カップ部との境界近傍の少なくとも一ヵ所に尿排出孔が設けられている（１）または（２）に記載の排泄物採取具。
尿の重さにより排泄物採取具が破断してしまう危険を防ぐことができる。
【００１１】
（６）
前記受け部の前記カップ部との境界近傍の少なくとも一領域が高透水性（たとえば、前記周囲全体にわたり微細孔が多数形成されている）である（１）または（２）に記載の排泄物採取具。
（５）と同様、尿の重さにより排泄物採取具が破断してしまう危険を防ぐことができる。
【００１２】
本発明の排泄物採取具では、採取部の周囲およびバンド部の周囲に、押圧力の高い線素片が破線状に表れる縁取り（いわゆるミシン目）を形成することができる。また、バンド部材の面の全体にわたり、上記ミシン目を格子等の模様で形成することができる。なお、ミシン目は表裏間を貫通するように（連通するように）形成されていてもよい
このようなミシン目を形成することで、積層して製造された排泄物採取具が剥離しにくくなるし、使用に際しての採取部および／またはバンド部材の強度が調整される。
その一方で、ミシン目は水の浸透を助長する。したがって、ミシン目の模様を増やしたり減らしたりすること、破線の太さ，ピッチ等を調整することで、排泄物採取具が水に溶ける速度を調製することができる。
すなわち、本発明の排泄物採取具は、採取部またはバンド部の周囲に押圧力の高い線素片（または、表裏間を貫通した部分）が破線状に表れる縁取りを設け、または採取部やバンド部の面に押圧力の高い線素片（または、表裏間を貫通した部分）が破線状に表れる模様を形成することで、採取部やバンド部材の強度を調整するとともに水に溶ける速度を調製することをも特徴とする。
【発明の効果】
【００１３】
使用時には、濡れや重量に対する強度が強い一方、廃棄するときには水に溶けやすい排泄物採取具が提供できる。
特に、女性用採尿具として使用したときには、便座に着座した状態で手を汚すことがない採尿ができる。
【図面の簡単な説明】
【００１４】
【図１】図１は本発明の排泄物採取具の第１実施形態を示す図である。  図１（Ａ）は排泄物採取具１Ａの平面図を示し、図１（Ｂ）は（Ａ）におけるＸ０−Ｘ０の断面図を示している。
【図２】図２は本発明の排泄物採取具の第２実施形態を示す図である。  図２（Ａ）は排泄物採取具１Ｂの平面図を示し、図２（Ｂ）は（Ａ）におけるＸ０−Ｘ０の断面図を示している。
【図３】図３は本発明の排泄物採取具の第３実施形態を示す図である。  図３（Ａ）は排泄物採取具１Ｃの平面図を示し、図３（Ｂ）は（Ａ）におけるＸ０−Ｘ０の断面図を示している。
【図４】図４は本発明の排泄物採取具の第４実施形態を示す図である。  図４（Ａ）は排泄物採取具１Ｄの平面図を示し、図４（Ｂ）は（Ａ）におけるＸ０−Ｘ０の断面図を示している。
【図５】図５は本発明の排泄物採取具の第５実施形態を示す図である。  図６（Ａ）は排泄物採取具１Ｅの平面図を示し、図６（Ｂ）は（Ａ）におけるＸ０−Ｘ０の断面図を示している。
【図６】図６は本発明の排泄物採取具の第６実施形態を示す図である。  図６（Ａ）は排泄物採取具１Ｆの平面図を示し、図６（Ｂ）は（Ａ）におけるＸ０−Ｘ０の断面図を示している。
【図７】図７（Ａ）−（Ｃ）は図１−図５に示した排泄物採取具１Ａ−１Ｅの使用形態の一例を示す図である。（Ａ）は便座６２を着座できるようにセットしたときの着座式便器６の平面図、（Ｂ）は（Ａ）におけるＸ１−Ｘ１線断面図（正面図）、（Ｃ）は（Ａ）におけるＸ２−Ｘ２線断面図（側面図）である。
【図８】図８（Ａ）−（Ｄ）は図１−図５に示した排泄物採取具１Ａ−１Ｅの使用形態の他の例を示す図である。（Ａ）は便座６２を跳ね上げた着座式便器６の平面図、（Ｂ）は便座６２を着座できるようにセットしたときの着座式便器６の平面図、（Ｃ）は（Ｂ）におけるＸ１−Ｘ１線断面図（正面図）、（Ｄ）は（Ｂ）におけるＸ２−Ｘ２線断面図（側面図）である。
【図９】図９（Ａ）−（Ｃ）は従来技術の説明図である。（Ａ）は便座を跳ね上げた着座式便器の平面図、（Ｂ）は正面図、（Ｃ）は側面図である。
【発明を実施するための最良の形態】
【００１５】
図１は本発明の排泄物採取具の第１実施形態を示す図である。
図１（Ａ）は排泄物採取具１Ａの平面図を示し、図１（Ｂ）は（Ａ）におけるＸ０−Ｘ０の断面図を示している。図１（Ｂ）には、符号Ｆで示す部分の拡大図を併記してある。
図１において排泄物採取具１Ａは、平面視四角形の採取部２（本体）と、採取部２の左右（横方向）に延設されたバンド部４ａ，４ｂとからなる。バンド部４ａ，４ｂの縦幅は、採取部２の縦幅よりも狭く構成されている。
採取部２は、図１（Ｂ）に示されるように、本実施形態では２段の逆ピラミッド型の容器状をなしており、上段の受け部２１と下段のカップ部２２とから構成されている。受け部２１とカップ部２２との間にはフラット部２３が形成されている。
【００１６】
採取部２は、全体（受け部２１およびカップ部２２）を構成する採取部ベース材Ｌ１と、カップ部２２の領域に形成された水解調整材２４からなる。
採取部２が逆ピラミッド型の容器として形成されることで、使用者の尿が受け部２１に放出された場合であっても、尿はカップ部２２に収集される。
【００１７】
バンド部４ａ，４ｂは、バンド部ベース材Ｌ２とその下面に形成した接着材層４１とからなる。
本実施形態では、採取部ベース材Ｌ１およびバンド部ベース材Ｌ２は、水に溶ける３層（紙層Ｓ１，Ｓ２，Ｓ３）の積層紙からなり、採取部ベース材Ｌ１とバンド部ベース材Ｌ２とは同一の積層紙原材から形成されている。
本実施形態では、接着材層４１も、水に溶けるものが選択されている。なお、接着材層４１は、使用前において離型紙により被覆される。この離型紙も水に溶けるように形成でき、たとえば蝋材を塗布した水溶性紙を用いることもできる。
【００１８】
水解調整材２４は、水に溶ける紙Ｔ１、水に溶けるフィルムＴ２（ＰＶＡ系樹脂フィルム）、水に溶ける紙Ｔ３との３層（Ｔ１／Ｔ２／Ｔ３）の積層体（Ｌ３）からなる。
なお、従来市販されている排泄物採取具の重量が約６グラム以上である。これに対し、本発明の排泄物採取具は、重量が約５グラム以下（または，４．５グラム以下または４．０グラム以下）に設計できる。
これにより、排泄物採取具１Ａでは、便器に流した場合の排水管等の紙詰りが生じにくい。
【００１９】
図１（Ａ）に示されるように、本実施形態では、採取部２の周囲およびバンド部４ａ，４ｂの周囲に、押圧力の高い線素片が破線状に表れる縁取りＤＬが形成されている。なお、図示はしないがバンド部４ａ，４ｂの面の全体にわたり、押圧力の高い線素片が破線状に表れる格子等の模様を形成することができる。
図１の排泄物採取具１Ａでは、縁取りＤＬにより排泄物採取具１Ａを構成する水溶・水解性紙が剥離しにくいので、採取部２およびバンド部４ａ，４ｂの強度が保障される。
また、押圧力の高い線素片が破線状に表れる格子等の模様を増やしたり減らしたりすること、破線の太さ，ピッチ等を調整することで、水に溶ける速度を調製することができる。
【００２０】
本実施形態の排泄物採取具１Ａの製造に際して、採取部ベース材Ｌ１とバンド部ベースＬ２との一体品は水に溶ける紙を３層重ね合わせ、これを所望形状に打ち抜くと同時に、熱プレスにより成型することで製造することができる。
このとき、水解調整材２４を所望位置に配置しておくことで図１に示した排泄物採取具１Ａを製造することができる。
なお、熱プレスの前工程、熱プレスと同時、または熱プレスの後工程において、消毒剤、消臭剤、脱臭剤、芳香剤の少なくとも１つを排泄物採取具１Ａに含ませる（染み込ませる）ことができる。
【００２１】
図２は本発明の排泄物採取具の第２実施形態を示す図である。
図２（Ａ）は排泄物採取具１Ｂの平面図を示し、図２（Ｂ）は（Ａ）におけるＸ０−Ｘ０の断面図を示している。図２（Ｂ）には、符号Ｆで示す部分の拡大図を併記してある。
本実施形態の排泄物採取具１Ｂは、水解調整材２４が上段の受け部２１の下部まで拡張されている点、および尿排出孔Ｈが形成されている点が第１実施形態とは異なっている。
図２（Ａ）に示されるように、受け部２１のカップ部２２に近接した部位（本実施形態ではフラット部２３上に３箇所）には、尿排出孔Ｈが形成されている。
本実施形態では、排泄物採取具１Ｂに溜まる尿の重さを軽減することができる。
【００２２】
図３は本発明の排泄物採取具の第３実施形態を示す図である。
図３（Ａ）は排泄物採取具１Ｃの平面図を示し、図３（Ｂ）は（Ａ）におけるＸ０−Ｘ０の断面図を示している。図３（Ｂ）には、符号Ｆで示す部分の拡大図を併記してある。
本実施形態の排泄物採取具１Ｃは、第２実施形態の排泄物採取具１と概略同じであるが、水解調整材２４が上段の受け部２１までさらに拡張されている点が異なっている。
本実施形態では、受け部２１が尿で濡れても、尿排出孔Ｈにより尿を排出できかつ、水解調整材２４により採取部２の時間的な強度低下を抑制することができる。
【００２３】
図４は本発明の排泄物採取具の第４実施形態を示す図である。
図４（Ａ）は排泄物採取具１Ｄの平面図を示し、図４（Ｂ）は（Ａ）におけるＸ０−Ｘ０の断面図を示している。図４（Ｂ）には、符号Ｆで示す部分の拡大図を併記してある。
図１で示した第１実施形態では、採取部ベース材Ｌ１およびバンド部ベース材Ｌ２は、水に溶ける３層の積層紙（Ｓ１，Ｓ２，Ｓ３からなる）から構成した。
本実施形態では採取部ベース材Ｌ１およびバンド部ベース材Ｌ２を水解調整材２４（３層（Ｔ１／Ｔ２／Ｔ３）の積層体（Ｌ３））として構成することができる。
本実施形態では、排泄物採取具１を構成する紙の総量は、図２の排泄物採取具１を構成する紙の総量よりも少ないので、紙詰まりが生じにくい。
【００２４】
図５は本発明の排泄物採取具の第５実施形態を示す図である。
図５（Ａ）は排泄物採取具１Ｅの平面図を示し、図５（Ｂ）は（Ａ）におけるＸ０−Ｘ０の断面図を示している。図５（Ｂ）には、符号Ｆで示す部分の拡大図を併記してある。
図３で示した第３実施形態では、水解調整材２４が上段の受け部２１までさらに拡張されかつ、尿排出孔Ｈがフラット部２３に設けられていたが、本実施形態では尿排出孔Ｈに代えて微細孔Ｊが設けられている。
本実施形態では、受け部２１が尿で濡れても、微細孔Ｊにより尿を排出できかつ、水解調整材２４により採取部２の時間的な強度低下を抑制することができる。
【００２５】
図６は本発明の排泄物採取具の第６実施形態を示す図である。
図６（Ａ）は排泄物採取具１Ｆの平面図を示し、図６（Ｂ）は（Ａ）におけるＸ０−Ｘ０の断面図を示している。図６（Ｂ）には、符号Ｆで示す部分の拡大図を併記してある。
図１で示した第１実施形態では、バンド部を左右のバンド部４ａ，４ｂにより構成したが、本実施形態ではバンド部を左右のバンド部４ａ，４ｂおよび後方に延設するバンド部４ｃとから構成してある。
本実施形態では、排泄物採取具１の重量を３つのバンド部４ａ，４ｂ，４ｃにより保持できる。
【００２６】
図７（Ａ）−（Ｃ）は図１−図４に示した排泄物採取具１Ａ−１Ｄの使用形態を示す図である。図７（Ａ）−（Ｃ）では、着座式便器６はリム６１と便座６２とからなる。
図７（Ａ）は便座６２を着座できるようにセットしたときの着座式便器６の平面図である。
図７（Ｂ）は（Ａ）におけるＸ１−Ｘ１線断面図（正面図）である。
図７（Ｃ）は（Ａ）におけるＸ２−Ｘ２線断面図（側面図）である。
排泄物採取具１では、バンド部４ａ，４ｂの端を、着座式便器６の便座６２の左右上面に貼着することにより、採取部２はバンド部４ａ，４ｂにより便座６２に懸架される。
図７（Ａ）−（Ｃ）の排泄物採取具１では、採取部２により人７の尿や便が採取される。
なお、排泄物採取具１Ｅの使用形態は図示しないが、バンド部４ａ，４ｂの端を、着座式便器６の便座６２の左右上面に貼着するとともに、バンド部４ｃを便座６２の後上面に貼着することにより、採取部２はバンド部４ａ，４ｂ，４ｃにより便座６２に懸架される。
【００２７】
図８（Ａ）−（Ｄ）は図１−図４に示した排泄物採取具１Ａ−１Ｄの使用形態を示す図である。図８（Ａ）−（Ｄ）では、着座式便器６はリム−６１と便座６２とからなる。
図８（Ａ）は便座６２を跳ね上げた着座式便器６の平面図である。
図８（Ｂ）は便座６２を着座できるようにセットしたときの着座式便器６の平面図である。
図８（Ｃ）は（Ｂ）におけるＸ１−Ｘ１線断面図（正面図）である。
図８（Ｄ）は（Ｂ）におけるＸ２−Ｘ２線断面図（側面図）である。
図８に示すように、排泄物採取具（符号１で示す）は、着座式便器の左右に懸架して使用される。
排泄物採取具１では、バンド部４ａ，４ｂの端を、着座式便器６のリム部６１の左右上面に貼着することにより、採取部２はバンド部４ａ，４ｂによりリム部６１に懸架される。
図８（Ａ）−（Ｄ）の排泄物採取具１では、採取部２により人７の尿や便が採取され、特に女性の採尿には好適である。
なお、排泄物採取具１Ｅの使用形態は図示しないが、バンド部４ａ，４ｂの端を、着座式便器６のリム部６１の左右上面に貼着するとともに、バンド部４ｃをリム部６１の後上面に貼着することにより、採取部２はバンド部４ａ，４ｂ，４ｃによりリム部６１に懸架される。
【符号の説明】
【００２８】
１Ａ，１Ｂ，１Ｃ，１Ｄ，１Ｅ  排泄物採取具
２  採取部
２１  受け部
２２  カップ部
２３  フラット部
２４  水解調整材
４ａ，４ｂ  バンド部
４１  接着材層
Ｌ１  採取部ベース材
Ｌ２  バンド部ベース材
Ｌ３  ３層（Ｔ１／Ｔ２／Ｔ３）の積層体
Ｓ１，Ｓ２，Ｓ３  紙層
Ｔ２  水に溶けるフィルム
Ｔ１，Ｔ３  水に溶ける紙
【図１】
2018189452.tif 000003
【図２】
2018189452.tif 000004
【図３】
2018189452.tif 000005
【図４】
2018189452.tif 000006
【図５】
2018189452.tif 000007
【図６】
2018189452.tif 000008
【図７】
2018189452.tif 000009
【図８】
2018189452.tif 000010
【図９】
2018189452.tif 000011